(57)【要約】【課題】多人数が共用する水タンクから飲料水を飲むときに使用するコップの保持器に関し、磁性体製でも非磁性体製でも、コップの材質を問わず保持でき、しかも磁石式でありながら極めて安定良く保持でき、さらに逆さに保持可能なコップ保持器を実現する。【解決手段】タンク３等のコップ保持部において、コップ４の外側面と対応する位置に、水平方向の間隔を置いて複数の磁石Ｍｇ１・Ｍｇ２を設けておき、複数の磁石Ｍｇ１・Ｍｇ２で磁性体のコップ４を吸着保持可能とする。前記磁石Ｍｇ１・Ｍｇ２の設置部１、２の上端付近に、コップ４の底部が当たるストッパーＳを設け、前記磁石設置部１、２の高さＨを、前記コップ４の高さ方向の寸法ｈより短くして、飲み口４１が磁石設置部１、２に接しないようにする。図３、図４のように、磁石Ｍｇ１・Ｍｇ２を使用しないで、非磁性のコップ９を掛けるコップ掛け棒６を併用することもできる。【選択図】          図１
2004338787.tif 000002
【特許請求の範囲】
【請求項１】
タンクその他のコップ保持部において、コップの外側面と対応する位置に、水平方向の間隔を置いて複数の磁石を設けておき、複数の磁石でコップを吸着保持可能としたことを特徴とするコップ保持器。
【請求項２】
前記磁石の取付け部材の上端付近に、コップの底部が当たるストッパーを設けてあり、前記磁石の取付け部材は、前記コップの高さ方向の寸法より短いことを特徴とする請求項１に記載のコップ保持器。
【請求項３】
非磁性のコップを掛けるための上向きコップ掛け棒が、前記の複数の磁石から離れた位置でほぼ直立できるように支持されており、しかも支持部は、鉛直方向の軸を中心にして水平方向又は左右方向に回転して、コップ掛け棒がコップ吸着領域以外に退避できる構造となっていることを特徴とする請求項１または請求項２に記載のコップ保持器。
【請求項４】
タンクその他のコップ保持部に対して、コップの外側面と対応する位置に、水平方向の間隔を置いて設置するための複数の磁石を有しており、前記コップ保持部に設置した際に、複数の磁石でコップを吸着保持可能としたことを特徴とするコップ保持器部品セット。
【請求項５】
前記磁石の取付け部材の上端付近に、コップの底部が当たるように設けるためのストッパーを有しており、前記磁石の取付け部材は、前記コップの高さ方向の寸法より短いことを特徴とする請求項４に記載のコップ保持器部品セット。
【請求項６】
前記の複数の磁石から離れた位置にほぼ直立状態で支持されるように、非磁性コップを掛けるための上向きコップ掛け棒を有しており、しかも該コップ掛け棒の支持部は、前記コップ掛け棒が、鉛直方向の軸を中心にして水平方向又は左右方向に回転して、コップ吸着領域以外に退避できる構造となっていることを特徴とする請求項４または請求項５に記載のコップ保持器部品セット。
【発明の詳細な説明】
【０００１】
【産業上の利用分野】
本発明は、多人数が共用する水タンクから飲料水を飲むときに使用するコップの保持器に関する。
【０００２】
【従来の技術】
飲用水の給水施設の無いスポーツ場や工事現場などで、給水タンクを持参して、備付けのコップで自由に水を飲めるようにしている場合が多い。このとき、コップの保持手段が完備していないため、コップの置場が一定せず、コップを捜し回ったりする不便がある。また、コップに塵埃が入ったり、前に使用した人の飲み残りの水が溜まっていたりして、不衛生を感じる場合も多い。
【０００３】
【発明が解決しようとする課題】
このような問題を解決すべく、実開昭５６−７９１８４号公報に記載のように、コップの側壁に磁石を取付けておいて、コップを逆さの状態で、金属部に吸着させるようにしたり、実開平７−１７５号公報に記載のように、カップホルダーの下面に取付けた磁石にカップの金属底面を接触させることで、カップを下向きに吸着させるようにしたアイディアが提案されている。
【０００４】いずれのアイディアも、コップを逆さに保持できるので、内部に塵埃が入らず、また前の人の飲み残りの水が溜まらず、衛生的である。しかしながら、１個の磁石で固定する構造であり、安定性が悪いので、風や衝撃などで容易に脱落したり、吸着時に不安定に吸着させたために、容易に離脱するなどの問題が発生し易い。また、吸着面に塵埃なとが付着していたり、磁石の磁力がわずかに低下しただけでも、強力に吸着できなくなる等の問題もある。
【０００５】特開２００１−２５４３３号公報などに記載のように、コップの外側面に設けた突起を相手側に設けた孔部などに嵌入することによって、コップなどを逆さに引っ掛けるアイディアも提案されている。この場合は、コップと相手側の双方に突起や凹孔などのような特殊形状を設ける必要があり、構造が複雑となり、引っ掛かったりする問題もある。また、磁石式と違って、ワンタッチ着脱が出来ず、試合時や練習中の短時間に水飲みするような場合に、あせっていると、コップの着脱に支障を来すなどの問題もある。
【０００６】さらに、従来のコップ保持器はいずれも、磁石式専用であったり、引っ掛け式専用となっている。そのため、磁性のコップも非磁性のコップも、材質を問わず、どれでも保持可能な兼用タイプのコップ保持器は見当たらない。
【０００７】本発明の技術的課題は、このような問題に着目し、磁性のコップでも非磁性のコップでも、コップの材質を問わず保持でき、しかも磁石式でありながら極めて安定良く保持でき、さらにコップ材質を問わず常に逆さに保持可能なコップ保持器を実現することにある。
【０００８】
【課題を解決するための手段】
本発明の技術的課題は次のような手段によって解決される。請求項１は、タンクその他のコップ保持部において、コップの外側面と対応する位置に、水平方向の間隔を置いて複数の磁石を設けておき、複数の磁石でコップを吸着保持可能としたコップ保持器である。
【０００９】このように、タンクの外側面などのようなコップ保持部において、コップの外側面と対応する位置に、水平方向の間隔を置いて複数の磁石を設けてあるため、離れている複数の磁石でコップを吸着し保持することになる。その結果、コップが複数か所で磁力で吸着保持されるので、安定性が良く、しかも吸着力も強くなり、吸着状態のコップが風圧や震動などで容易に脱落するようなことは少ない。
【００１０】コップは、全体が磁性になっていてもよいが、合成樹脂製のコップの外周の一部のみに磁性材の鉢巻きをした構成などでもよい。また、コップを逆さにして吸着させておけば、内部に塵埃が入らないし、水切れが良く、前に使用した人の飲み残りの水が容易に切れて乾燥するので、衛生的である。
【００１１】請求項２は、請求項１に記載の磁石の取付け部材の上端付近に、コップの底部が当たるストッパーを設けてあり、前記磁石の取付け部材は、前記コップの高さ方向の寸法より短いことを特徴とするコップ保持器である。
【００１２】このように、磁石取付け部材の上端付近に、コップの底部が当たるストッパーを設けてあるので、コップは、ストッパーより下側において、磁石に吸着されることになる。そして、磁石取付け部材は、前記コップの高さ方向の寸法より短いので、コップの開口縁すなわち飲み口は、磁石取付け部材より下側に突出することになり、磁石取付け部材などに接触することはない。その結果、衛生的となる。
【００１３】請求項３は、非磁性のコップを掛けるための上向きコップ掛け棒が、請求項１または請求項２に記載の複数の磁石から離れた位置でほぼ直立できるように支持されている。したがって、磁石を利用できない、合成樹脂製のコップなどの場合は、逆さにして、このコップ掛け棒に被せるようにして、引っ掛けることができる。
【００１４】そして、このコップ掛け棒の支持部は、鉛直方向の軸を中心にして水平方向又は左右方向に回転する構造になっているので、コップ掛け棒をタンクなどの外壁面寄りに折り畳むことができる。したがって、磁石を利用して吸着できるコップの場合は、このコップ掛け棒を回転させて、コップ吸着領域以外に退避させておけば、コップ掛け棒が邪魔になることもない。
【００１５】請求項４は、タンクその他のコップ保持部に対して、コップの外側面と対応する位置に、水平方向の間隔を置いて設置するための複数の磁石を有しており、前記コップ保持部に設置した際に、複数の磁石でコップを吸着保持可能としたコップ保持器部品セットである。
【００１６】このように、タンクその他のコップ保持部に対して、コップの外側面と対応する位置に、水平方向の間隔を置いて設置するための複数の磁石を有しているので、この部品セットを購入して来て、前記コップ保持部に接着したりして設置すると、請求項１に記載のようなコップ保持器を完成できる。従って、複数の磁石でコップを安定良く吸着保持可能なコップ保持器を実現できる。
【００１７】請求項５は、請求項４に記載の磁石の取付け部材の上端付近に、コップの底部が当たるように設けるためのストッパーを有しており、前記磁石取付け部材は、前記コップの高さ方向の寸法より短い寸法になっているコップ保持器部品セットである。
【００１８】このように、前記磁石取付け部材の上端付近に、コップの底部が当たるように設けるためのストッパーを有しているので、請求項４に記載の部品を接着したりして組み立てる際に、このストッパーも取付けると、請求項２のように、コップは、ストッパーより下側において、磁石に吸着されることになる。
【００１９】そして、前記磁石取付け部材は、前記コップの高さ方向の寸法より短い寸法になっているので、コップの開口縁すなわち飲み口は、磁石取付け部材より下側に突出することになり、磁石取付け部材などに接触することはない。その結果、衛生的となる。
【００２０】請求項６は、請求項４または請求項５に記載の複数の磁石から離れた位置にほぼ直立状態で支持されるように、非磁性コップを掛けるための上向きコップ掛け棒を有しており、しかも該コップ掛け棒の支持部は、前記コップ掛け棒が、鉛直方向の軸を中心にして水平方向又は左右方向に回転して、コップ吸着領域以外に退避できる構造となっているコップ保持器部品セットである。
【００２１】このように、前記複数の磁石から離れた位置にほぼ直立状態で支持されるように、非磁性コップを掛けるための上向きコップ掛け棒を有しているので、この部品セットを組み立て設置した状態では、請求項３のように、磁石を利用できない、非磁性のコップなどの場合は、逆さにして、このコップ掛け棒に被せるようにして、引っ掛けることができる。
【００２２】しかも、前記コップ掛け棒の支持部は、前記コップ掛け棒が、鉛直方向の軸を中心にして水平方向又は左右方向に回転できる構造になっているので、磁石を利用して、磁性コップを吸着させる場合は、このコップ掛け棒を回転させて、コップ吸着領域以外に退避させておけば、コップ掛け棒が邪魔になることもない。
【００２３】
【発明の実施の形態】
次に本発明によるコップ保持器並びにコップ保持器部品セットが実際上どのように具体化されるか実施形態を説明する。図１は本発明によるタンク用の磁石式のコップ保持器の全容を示す斜視図である。１、２は磁石取付け部材であり、図示例では三角柱状をしているので、以下「三角柱状体」とも呼ぶ。この２本の三角柱状体１、２の一面を接着剤などで水タンク３の外面に接着固定してある。水タンク３には、蓋をしておく。２本の三角柱状体１と２は、例えば３〜８ｃｍ程度の間隔ｄをおき、離しておく。
【００２４】三角柱状体１、２の互いに対向する斜面には、磁石Ｍｇ１とＭｇ２を接着または埋め込んで、固定してある。したがって、鎖線で示す磁性体製のコップ４を２個の磁石Ｍｇ１・Ｍｇ２に吸着させることによって、タンク３側に保持させることができる。このように、離れた２か所の磁石Ｍｇ１・Ｍｇ２にコップ４を吸着させるので、安定良く保持でき、風圧や震動、衝撃などで脱落するようなことは少ない。
【００２５】コップ４は、その開口すなわち飲み口４１側が下向きとなるように、逆さにした状態で磁石Ｍｇ１・Ｍｇ２に吸着させておけば、内部に塵埃が入ることはなく、水切れも良い。
【００２６】図２は、図１の磁石Ｍｇ１・Ｍｇ２の位置における水平断面図である。この図の場合は、２個の磁石Ｍｇ１・Ｍｇ２の面が、コップ４の接線方向と一致するように配置してある。すなわち、２個の三角柱状体１・２の磁石Ｍｇ１・Ｍｇ２の設置面の角度の設定や２個の磁石Ｍｇ１・Ｍｇ２の間隔Ｄの設定によって、コップ４の外周面の接線方向と２個の磁石Ｍｇ１・Ｍｇ２の面とを揃えることができる。
【００２７】こうして、コップ４の外周面の接線方向と２個の磁石Ｍｇ１・Ｍｇ２の面とを一致させると、コップ４が最も安定良く保持される。ただし、２個の磁石Ｍｇ１・Ｍｇ２とコップ４の外周面が接触さえできれば、必ずしも接線方向と一致していなくても、かなりの強度で安定良く保持させることができる。また、磁石Ｍｇ１・Ｍｇ２を、コップ４の外周の曲面とほぼ同じ程度の曲率で凹曲面にするのも有効である。
【００２８】２個の磁石Ｍｇ１とＭｇ２との間に、もう１個の磁石を配置し、水タンク３の外面に接着してもよい。このように、３個の磁石をタンク外面に取付けておけば、互いに離れた３個の磁石でコップ４を吸着保持させることもできる。
【００２９】こうして磁石でコップを保持する場合は、コップ４自体が磁性体製である場合が多いであろうが、合成樹脂製のコップの外周に、磁性体製の鉢巻きを巻き付け接着した状態でもよい。いずれにしても、コップ４の少なくとも表面に磁性体の材料を取付けておくことが必要である。
【００３０】ところで、磁石Ｍｇ１・Ｍｇ２を水タンク３に取付ける三角柱状体１、２の上端付近には、図１のように、コップの底部が当たるストッパーＳを設けてある。このストッパーＳは、例えば図４のように、Ｌ字状に曲げた合成樹脂板などの一辺を水タンク３に接着することによって容易に実現できる。あるいは、三角柱状体１、２の上端面１ｔ、２ｔに板材を接着して、ブリッジ状に渡してもよい。
【００３１】このように、磁石の取付け部材１、２の上端付近に、コップの底部が当たるストッパーＳを設けてあるので、コップ４は、ストッパーＳより下側において、磁石Ｍｇ１・Ｍｇ２に吸着されることになる。そして、三角柱状体１、２の全長すなわち上下方向の寸法ｈは、前記コップ４の高さ方向の寸法Ｈより短くしてある。したがって、コップ４の開口縁すなわち飲み口４１は、磁石取付け部材１、２より下側に突出することになり、磁石取付け部材１、２などに接触することはない。その結果、衛生的となる。
【００３２】図３、図４は、磁性体製のコップだけでなく、合成樹脂製やガラス製などのような磁性部を有しないコップ９にも適用可能とした兼用タイプの実施形態である。図３は平面図であり、図４は図３のＡ−Ａ位置の断面図である。
【００３３】５は支持部であり、片方の三角柱状体１の側面と一体になっている。この支持部５に鉛直方向の軸孔を開けて、コップ掛け棒６が回動可能に支持してある。すなわち、コップ掛け棒６は鉛直方向の棒状をしており、コ字状ないしＵ字状の部分７を介して、回転軸部８と連続している。そして、回転軸部８は、支持部５に開けてある鉛直方向の軸孔に下側から上向きに挿通されており、回転軸部８の上端８１を水平方向に折り曲げて、回転軸部８が下向きに離脱するのを防いでいる。
【００３４】したがって、図示のように、コップ掛け棒６が、２個の磁石Ｍｇ１・Ｍｇ２の間において立っている状態において、鎖線で示すコップ９を逆さにしてコップ掛け棒６の上に被せるようにして掛けると、コップ９の保持が可能となる。コップ９は、逆さ状態になるので、中に塵埃が入らず、内部に残っている水の水切れもよい。
【００３５】コップ掛け棒６の高さを、コップ９の高さより大きくしておくと、コップ９の飲み口９１がＵ字状部７などに接触して、不衛生となることはない。また、コップ掛け棒６の上端を、三角柱状体１、２の上端と同じ高さか、図示のように多少低めの位置に設定して、飲み口９１を磁石取付け部材１、２の下端より下側に位置させれば、コップ９の飲み口９１が磁石取付け部材１、２と接することもない。
【００３６】コップ掛け棒６にコップ９を逆さに掛けた状態では、コップ９の側壁は、コップ掛け棒６と２個の三角柱状体１、２との間に挟まれる状態となる。その結果、コップ９が極端に傾斜することはなく、ほぼ鉛直方向に向くことになるので、不格好になることはない。なお、コップ掛け棒６の上端を、三脚を逆さにした形状にすれば、コップの底部が３点で支持されるので、コップ９はほぼ鉛直に支持されて安定性も良くなり、飲み口９１がコップ掛け棒６と接するのも防げる。
【００３７】磁性を有するコップ４の場合は、磁石Ｍｇ１・Ｍｇ２を使用するので、コップ掛け棒６は不必要となる。その場合は、コップ掛け棒６が邪魔になるので、鎖線６１のように、水タンク３の外面付近まで回転して、退避させておくと、磁性コップの着脱操作などの邪魔になることはない。すなわち、コップ掛け棒６から非磁性コップ９を取り外した状態で、回転軸部８を中心にして、コップ掛け棒６を矢印ａ１方向に回転させ、コップ吸着領域の外に退避させておく。
【００３８】なお、合成樹脂コップやガラスコップ、アルミ製コップなどのように磁性を有しないコップ９を使用する場合は、コップ掛け棒６を鎖線６１位置から矢印ａ１とは逆方向に、磁石Ｍｇ１とＭｇ２との間の位置まで移動させ、磁石Ｍｇ１とＭｇ２とコップ掛け棒６とでほぼ２等辺三角形状にするだけでよい。
【００３９】図示例では、回転軸部８の離脱を防ぐために、上端８１を横向きに折り曲げてあるが、回転軸部８の上端を偏平に潰したり、横向きにピンを挿入したりしても、コップ９の重量で回転軸部８が下向きに抜けるのを防げる。
【００４０】支持部５に開けた鉛直方向の軸孔に代えて、いずれか片方の三角柱状体１又は２自体に鉛直方向の軸孔５ｈを開けて、回転軸部８を下側から上向きに挿通することもできる。
【００４１】以上の実施形態において、磁石Ｍｇ１・Ｍｇ２を有する三角柱状体１、２は、間隔ｄをおいて予め合成樹脂製の一体のシート又は薄板などに接着固定し、かつストッパーＳも接着しておき、このシート又は薄板などを水タンク３の外面に接着固定することも可能である。また、２個の磁石Ｍｇ１・Ｍｇ２を取付け固定するための三角柱状体１、２は、ハの字状に末広がりに取付けると、底側より飲み口４１側が大径となった通常のコップが逆さ状態で磁石Ｍｇ１・Ｍｇ２の全長に接触するので、より安定良く吸着保持できる。
【００４２】なお、磁石Ｍｇ１・Ｍｇ２を取付け固定するための三角柱状体１、２は一例であって、必ずしも三角柱状である必要はないが、三角柱状体であれば、既製品を多少加工するだけで利用できるメリットがある。
【００４３】水タンク３は、必ずしも円形である必要はなく、多面体の平坦部に磁石取付け部材１、２やストッパー３などを接着してもよい。また、本発明によるコップ保持器は、水タンクに限らず、洗面所や炊事場、風呂場などのように、コップを使用する場所であれば、どこにでも適用できる。
【００４４】以上の実施形態では、水タンク３などに磁石取付け部材１、２やストッパー３などを接着して、コップ保持器として完成している状態を図示したが、磁石取付け部材１、２やストッパー３などをセットにして販売しておけば、このセットを購入して来て、各自で水タンクなどに接着してコップ保持器を完成し、使用することもできる。なお、回転軸８の軸支部は三角柱状体１や２と一体ないし兼用する例を示したが、別体の軸支部材を水タンクやシート又は薄板などに固定することもできる。
【００４５】
【発明の効果】
請求項１のように、タンクの外側面などのようなコップ保持部において、コップの外側面と対応する位置に、水平方向の間隔を置いて複数の磁石を設けてあるため、離れている複数の磁石でコップを吸着し保持することになる。その結果、コップが複数か所で磁力で吸着保持されるので、安定性が良く、しかも吸着力も強くなり、吸着状態のコップが風圧や震動などで容易に脱落するようなことは少ない。
【００４６】請求項２のように、磁石取付け部材の上端付近に、コップの底部が当たるストッパーを設けてあるので、コップは、ストッパーより下側において、磁石に吸着されることになる。そして、磁石取付け部材は、前記コップの高さ方向の寸法より短いので、コップの開口縁すなわち飲み口は、磁石取付け部材より下側に突出することになり、磁石取付け部材などに接触することはない。その結果、衛生的となる。
【００４７】請求項３のように、非磁性のコップを掛けるための上向きコップ掛け棒が、複数の磁石から離れた位置でほぼ直立できるように支持されているため、磁石を利用できない、合成樹脂製のコップなどの場合は、逆さにして、このコップ掛け棒に被せるようにして、引っ掛けることができる。
【００４８】そして、このコップ掛け棒の支持部は、鉛直方向の軸を中心にして水平方向又は左右方向に回転する構造になっているので、コップ掛け棒をタンクなどの外壁面寄りに折り畳むことができる。したがって、磁石を利用して吸着できるコップの場合は、このコップ掛け棒を回転させて、コップ吸着領域以外に退避させておけば、コップ掛け棒が邪魔になることもない。
【００４９】請求項４のように、タンクその他のコップ保持部に対して、コップの外側面と対応する位置に、水平方向の間隔を置いて設置するための複数の磁石を有しているので、この部品セットを購入して来て、前記コップ保持部に接着したりして設置すると、請求項１に記載のようなコップ保持器を完成して、複数の磁石でコップを安定良く吸着保持可能となる。
【００５０】請求項５のように、前記磁石取付け部材の上端付近に、コップの底部が当たるように設けるためのストッパーを有しているので、請求項４に記載の部品を接着したりして組み立てる際に、このストッパーも取付けると、請求項２のように、コップは、ストッパーより下側において、磁石に吸着されることになる。
【００５１】そして、前記磁石取付け部材は、前記コップの高さ方向の寸法より短い寸法になっているので、コップの開口縁すなわち飲み口は、磁石取付け部材より下側に突出することになり、磁石取付け部材などに接触することはない。その結果、衛生的となる。
【００５２】請求項６のように、前記複数の磁石から離れた位置にほぼ直立状態で支持されるように、非磁性コップを掛けるための上向きコップ掛け棒を有しているので、この部品セットを組み立て設置した状態では、請求項３のように、磁石を利用できない、非磁性のコップなどの場合は、逆さにして、このコップ掛け棒に被せるようにして、引っ掛けることができる。
【００５３】しかも、前記コップ掛け棒の支持部は、前記コップ掛け棒が、鉛直方向の軸を中心にして水平方向又は左右方向に回転できる構造になっているので、磁石を利用して磁性コップを吸着させる場合は、このコップ掛け棒を回転させて、コップ吸着領域以外に退避させておけば、コップ掛け棒が邪魔になることもない。
【図面の簡単な説明】
【図１】本発明による水タンク用の磁石式のコップ保持器の全容を示す斜視図である。
【図２】図１の磁石の位置における水平断面図である。
【図３】非磁性のコップにも適用可能としたコップ保持器の実施形態を示す平面図である。
【図４】図３のＡ−Ａ位置の断面図である。
【符号の説明】
１・２  三角柱状体（磁石取付け部材）
１ｔ、２ｔ  三角柱状体の上端面
３  水タンク
４  コップ（磁性体製）
４１  飲み口
Ｍｇ１・Ｍｇ２  磁石
５  支持部
５ｈ  回転軸８を軸支する軸孔
６  コップ掛け棒
７  Ｕ字状部
８  回転軸
９  コップ（非磁性体製）
９１  飲み口
Ｓ  ストッパー
【図１】
2004338787.tif 000003
【図２】
2004338787.tif 000004
【図３】
2004338787.tif 000005
【図４】
2004338787.tif 000006